(57)【要約】【課題】ランプを含むキャリッジの移動距離を短縮し、コンタクトガラスにセットされた原稿の連続読込に要する時間を短くする。【解決手段】画像読取装置は、コンタクトガラス、キャリッジ、イメージセンサー、画像データ生成部、移動機構、操作パネル、読取制御部を含む。連続読取モードは、コンタクトガラスにセットされた原稿の読取を続け、読取完了後にジョブを開始するモードである。読取制御部は、設定された読取範囲での２枚目以降の原稿の読取では、イメージセンサーの読取ラインの位置を、ホームポジションからみて、読取範囲の終了位置よりも外側に移動させない。【選択図】図６
2019146006.tif 000002
【特許請求の範囲】
【請求項１】
原稿がセットされるコンタクトガラスと、
ホームポジションが設定され、原稿に光を照射するランプを含むキャリッジと、
原稿の反射光を受光して原稿を読み取るイメージセンサーと、
前記イメージセンサーの出力に基づき画像データを生成する画像データ生成部と、
前記コンタクトガラスの一方側で、前記キャリッジを副走査方向で移動させる移動機構と、
連続読取モードを利用する設定と、読取範囲の開始位置と終了位置の設定を受け付ける操作パネルと、
前記移動機構を制御する読取制御部と、を含み、
前記連続読取モードは、前記操作パネルが読取完了を受け付けるまで前記コンタクトガラスにセットされた原稿の読取を続け、読取完了後にジョブを開始するモードであり、
前記ホームポジションは、前記副走査方向において前記コンタクトガラスの外側に設けられ、
前記連続読取モードが設定され、かつ、前記読取範囲が設定された場合、
前記読取制御部は、
設定された前記読取範囲で複数枚の原稿を読み取るとき、
設定された前記読取範囲での２枚目以降の原稿の読取では、前記イメージセンサーの読取ラインの位置を、前記ホームポジションからみて、前記終了位置よりも外側に移動させないことを特徴とする画像読取装置。
【請求項２】
前記操作パネルは前記連続読取モードの１つとして速度優先モードの選択を受け付け、
前記速度優先モードが設定された場合、
前記読取制御部は、
設定された前記読取範囲で複数枚の原稿を読み取るとき、
設定された前記読取範囲の２枚目以降の原稿の読取では、前の原稿の読取後に前記読取ラインの位置を前記開始位置にあわせ、
前記開始位置から前記終了位置まで前記読取ラインの位置を移動させることにより、前記読取範囲のみの読取を前記イメージセンサーに行わせることを特徴とする請求項１に記載の画像読取装置。
【請求項３】
前記副走査方向において前記コンタクトガラスの外側に設けられ、白基準値を取得するための白基準板を含み、
前記画像データ生成部は、黒基準値と、前記白基準板の読取で得られた前記白基準値に基づき、シェーディング補正を行い、
前記操作パネルは前記連続読取モードの１つとして画質優先モードの選択を受け付け、
前記画質優先モードが設定された場合、
前記読取制御部は、
前の原稿の読取後に前記読取ラインの位置を、前記白基準板を読み取る位置に戻し、
原稿を読み取るごとに、前記黒基準値を更新し、
原稿を読み取るごとに、前記白基準板を前記イメージセンサーに読み取らせて、前記白基準値を更新し、
設定された前記読取範囲の２枚目以降の原稿の読取では、前記白基準板を読み取る位置から前記終了位置まで前記読取ラインの位置を移動させることにより、前記読取範囲のみの読取を前記イメージセンサーに行わせることを特徴とする請求項１又は２に記載の画像読取装置。
【請求項４】
制御部を含み、
設定された前記読取範囲で複数枚の原稿を読み取る場合、
前記読取制御部は、
設定された前記読取範囲の１枚目の原稿の読取では、前記読取ラインの位置を、前記ホームポジションから１枚目の原稿の後端まで移動させることにより、原稿の全体の読取を前記イメージセンサーに行わせ、
前記制御部は、
設定された前記読取範囲の２枚目以降の原稿の読取では、１枚目の原稿の読取で得られた画像データをコピーし、
コピーした画像データに、前記読取範囲のみの読取で得られた画像データを嵌め込むことにより、２枚目以降のそれぞれの原稿の画像データを生成することを特徴とする請求項１乃至３の何れか１項に記載の画像読取装置。
【請求項５】
表示を行う表示パネルと、
前記表示パネルの表示を制御する制御部と、を含み、
前記制御部は、
設定された前記読取範囲の前記開始位置が、前記ホームポジションからみて、原稿の副走査方向の中心よりも外側にあるか否かを判定し、
設定された前記読取範囲の前記開始位置が、前記ホームポジションからみて、原稿の副走査方向の中心よりも外側にあるとき、原稿を１８０度回転すべきメッセージを前記表示パネルに表示させることを特徴とする請求項１乃至４の何れか１項に記載の画像読取装置。
【請求項６】
前記操作パネルは、
複数種類の読取範囲の設定を受け付け、
それぞれの前記読取範囲ごとの読取枚数の設定を受け付け、
前記読取制御部は、
設定された前記読取枚数の読取がなされるごとに、前記読取範囲を変更し、
変更後の前記読取範囲での原稿の読取が１枚目の原稿の読取のとき、前記キャリッジを前記ホームポジションに戻すことを特徴とする請求項１乃至５の何れか１項に記載の画像読取装置。
【請求項７】
表示を行う表示パネルと、
前記表示パネルの表示を制御する制御部と、を含み、
設定された前記読取枚数の読取がなされたとき、
前記制御部は、前記読取範囲の変更を行うか否かの確認メッセージを表示パネルに表示させ、
前記読取制御部は、前記確認メッセージの表示後、前記操作パネルが前記読取範囲の変更指示を受け付けたとき、前記読取範囲を変更することを特徴とする請求項１乃至６の何れか１項に記載の画像読取装置。
【発明の詳細な説明】
【技術分野】
【０００１】
本発明は、原稿を読みとって画像データを生成する画像読取装置に関する。
【背景技術】
【０００２】
画像読取装置は、原稿をイメージセンサーで読取、画像データを生成する。複合機や複写機は画像読取装置の一種である。原稿に光を照射するランプが画像読取装置に設けられる。原稿からの反射光に基づき、イメージセンサーが原稿を読み取る。画像読取装置には、ランプを含むキャリッジを副走査方向に移動させるものがある。キャリッジの移動により、光の照射位置が副走査方向で移動し、１枚の原稿が読み取られる。キャリッジはホームポジションが定められる。原稿読取のとき、ホームポジションを基準にキャリッジは往復移動を行う。このような画像読取装置の一例が特許文献１に記載されている。
【０００３】
特許文献１には、画像読取部の駆動源を用いて、画像読取部を副走査方向で往復駆動させ、画像読取部をホームポジションに配置し、画像読取部の画像読取中に異常が発生したとき、駆動源への電力の供給を停止し、異常が解決されたとき、画像読取部をホームポジションに配置する画像読取装置が記載されている。この構成により、常に同じ位置から画像の読取動作を開始しようとする（特許文献１：請求項１、段落［００１６］参照）。
【先行技術文献】
【特許文献】
【０００４】
【特許文献１】特開２００６−０１０７１８号公報
【発明の概要】
【発明が解決しようとする課題】
【０００５】
例えば、複数枚の原稿の画像データをまとめて送信したい場合がある。原稿を１枚読み込むごとに送信ジョブが開始されると、何度も送信ジョブの設定を繰り返さなくてはならない。そこで、画像読取装置には連続読込モードが搭載されることがある。連続読込モードは、複数枚の原稿の読取完了後、ジョブを開始するモードである。
【０００６】
特許文献１に記載されるように、原稿台（プラテン）にセットされた原稿を読み取る場合、キャリッジを副走査方向で移動させることがある。キャリッジのホームポジションからの移動と、ホームポジションへの帰還は、原稿１枚ごとに繰り返される。連続読込モードの場合、原稿読取ごとに、ホームポジションから原稿端までのキャリッジの往復移動が行われる。キャリッジの移動距離が長いため、次の原稿の読取を直ちに開始できないことがある。そのため、キャリッジの移動距離が長いために原稿読取に時間がかかる場合があるという問題がある。
【０００７】
特許文献１に記載の装置は、原稿１枚ごとに、キャリッジ（画像読取部）をホームポジションに戻す。キャリッジの移動距離が長くなることがある。従って、上記の問題を解決することはできない。
【０００８】
本発明は上記従来技術の問題点に鑑み、ランプを含むキャリッジの移動距離を短縮し、コンタクトガラスにセットされた原稿の連続読込に要する時間を短くする。
【課題を解決するための手段】
【０００９】
本発明に係る画像読取装置は、コンタクトガラス、キャリッジ、イメージセンサー、画像データ生成部、移動機構、操作パネル、読取制御部と、を含む。前記コンタクトガラスには原稿がセットされる。前記キャリッジは、ホームポジションが設定され、原稿に光を照射するランプを含む。前記イメージセンサーは、原稿の反射光を受光して原稿を読み取る。前記画像データ生成部は前記イメージセンサーの出力に基づき画像データを生成する。前記移動機構は、前記コンタクトガラスの一方側で、前記キャリッジを副走査方向で移動させる。前記操作パネルは、連続読取モードを利用する設定と、読取範囲の開始位置と終了位置の設定を受け付ける。前記読取制御部は、前記移動機構を制御する。前記連続読取モードは、前記操作パネルが読取完了を受け付けるまで前記コンタクトガラスにセットされた原稿の読取を続け、読取完了後にジョブを開始するモードである。前記ホームポジションは、前記副走査方向において前記コンタクトガラスの外側に設けられる。前記連続読取モードが設定され、かつ、前記読取範囲が設定された場合、前記読取制御部は、設定された前記読取範囲で複数枚の原稿を読み取るとき、設定された前記読取範囲での２枚目以降の原稿の読取では、前記イメージセンサーの読取ラインの位置を、前記ホームポジションからみて、前記終了位置よりも外側に移動させない。
【発明の効果】
【００１０】
本発明によれば、ランプを含むキャリッジの移動距離を短縮することができる。コンタクトガラスにセットされた原稿の連続読込に要する時間を短くすることができる。
【図面の簡単な説明】
【００１１】
【図１】実施形態に係る複合機の一例を示す図である。
【図２】実施形態に係る画像読取部の一例を示す図である。
【図３】実施形態に係る画像読取部の一例を示す図である。
【図４】実施形態に係るコンタクトガラスへの原稿のセットの一例を示す図である。
【図５】実施形態に係る複合機の通常読取モードでの読取の一例を示す図である。
【図６】実施形態に係る複合機の速度優先モードでの読取の一例を示す図である。
【図７】実施形態に係る複合機の画質速度優先モードでの読取の一例を示す図である。
【図８】実施形態に係る読取範囲の設定の流れの一例を示す図である。
【図９】実施形態に係る読取範囲設定画面の一例を示す図である。
【図１０】実施形態に係るテストスキャン結果画面の一例を示す図である。
【図１１】実施形態に係るメッセージ表示画面の一例を示す図である。
【図１２】実施形態に係る順番設定画面の一例を示す図である。
【図１３】実施形態に係る複合機での速度優先モード又は画質優先モードでの読取の流れの一例を示す図である。
【図１４】実施形態に係る連続読取画面の一例を示す図である。
【図１５】実施形態に係る複合機での速度優先モード又は画質優先モードでの読取の流れの一例を示す図である。
【図１６】実施形態に係る確認メッセージ画面の一例を示す図である。
【発明を実施するための形態】
【００１２】
以下、図１〜図１６を用いて、実施形態に係る画像読取装置を説明する。画像読取装置として複合機１００を例に挙げて説明する。複合機１００は、原稿読取の他、印刷、送信が可能である。複合機１００は画像形成装置でもある。本実施形態の説明に記載されている構成、配置等の各要素は発明の範囲を限定せず単なる説明例にすぎない。
【００１３】
（複合機１００）
図１を用いて、実施形態に係る複合機１００の一例を説明する。図１は、実施形態に係る複合機１００の一例を示す図である。
【００１４】
図１に示すように、複合機１００は、制御部１、画像読取部２、記憶部３、操作パネル４、印刷部５、通信部１０、を含む。制御部１は、複合機１００を制御する。制御部１は、ＣＰＵ１１と画像処理回路１２を含む。記憶部３は、ＲＯＭ、フラッシュＲＯＭ、ストレージ（ＨＤＤ）のような不揮発性の記憶装置を含む。記憶部３はＲＡＭのような揮発性の記憶装置も含む。制御部１は、記憶部３に記憶されたプログラムやデータを利用して各部を制御する。コピーや送信のようなジョブにおいて、制御部１は原稿読取を制御する。また、制御部１は印刷、送信、画像データの記憶を制御する。画像処理回路１２は画像データに画像処理を行う。
【００１５】
操作パネル４は、表示パネル４１、タッチパネル４２、ハードキー４３を含む。制御部１は、設定用画面や操作用画像を表示パネル４１に表示させる。制御部１は表示パネル４１の表示を制御する。操作用画像は、例えば、ボタン、キー、タブである。タッチパネル４２の出力に基づき、制御部１は、操作された操作用画像を認識する。ハードキー４３はスタートキーやテンキーを含む。タッチパネル４２、ハードキー４３は使用者の設定操作（ジョブに関する操作）を受け付ける。制御部１は操作パネル４と通信する。制御部１は設定内容を認識する。
【００１６】
印刷部５は、給紙部５ａ、用紙搬送部５ｂ、画像形成部５ｃ、定着部５ｄを含む。印刷ジョブのとき、制御部１は用紙を給紙部５ａに供給させる。制御部１は用紙を用紙搬送部５ｂに搬送させる。用紙搬送部５ｂは印刷済み用紙を機外に排出する。制御部１は画像データに基づくトナー像を画像形成部５ｃに形成させる。制御部１は搬送用紙へのトナー像の転写を画像形成部５ｃに行わせる。制御部１は転写されたトナー像の用紙への定着を定着部５ｄに行わせる。
【００１７】
通信部１０はコンピューター２００と通信可能に接続される。通信部１０とコンピューター２００は、ネットワークを介して通信する。通信部１０は、通信用回路、通信用ソフトウェアを含む。通信部１０はコンピューター２００から送信された印刷用データを受信する。印刷用データはページ記述言語で記述されたデータや印刷の設定データを含む。制御部１は受信した印刷用データに基づき、印刷部５に印刷させる（プリントジョブ）。
【００１８】
（画像読取部２）
次に、図２、３を用いて、実施形態に係る画像読取部２を説明する。図２、図３は、実施形態に係る画像読取部２の一例を示す図である。図２は、画像読取部２を正面方向から見た図である。画像読取部２の上面右側にコンタクトガラス２１（原稿台）が配される。コンタクトガラス２１は光を透過する。原稿はコンタクトガラス２１にセットされる。画像読取部２は、コンタクトガラス２１にセットされた原稿に光を照射する。画像読取部２は、原稿の下側の面を読み取って画像データを生成する。制御部１は生成された画像データを記憶部３に記憶させる。
【００１９】
図２に示すように、原稿押さえ部２２が画像読取部２の上方に設けられる。原稿押さえ部２２は開閉できる。複合機１００の手前側を上下に振るように、原稿押さえ部２２を開閉することができる。図２は、原稿押さえ部２２が閉じられた状態を示す。原稿押さえ部２２の下面には、原稿押さえ板２２ａが取り付けられる。原稿押さえ板２２ａは、例えば、白色の板である。原稿押さえ部２２を閉じたとき、原稿押さえ板２２ａはコンタクトガラス２１を上から覆う。原稿押さえ板２２ａは、コンタクトガラス２１にセットされた原稿を上から押さえる。
【００２０】
図３に示すように、画像読取部２は読取制御部２０を含む。読取制御部２０は画像読取部２の動作を制御する基板である。読取制御部２０は、制御回路、メモリー、その他の回路を含む。読取制御部２０は制御部１からの指示、信号を受け、原稿読取を制御する。
【００２１】
図２に示すように、画像読取部２は、筐体内に、キャリッジ６、白基準板２３、移動機構２４を含む。移動機構２４は、ベルト２４ａ、プーリー２４ｂ、プーリー２４ｃ、走査用モーター２４ｄを含む。キャリッジ６はＣＩＳ方式のスキャンユニットである。画像読取部２は、ＣＣＤ方式のスキャンユニットを有してもよい。
【００２２】
ベルト２４ａは無端状である。ベルト２４ａは各プーリー２４ｂにかけ回される。ベルト２４ａとキャリッジ６は接続される。走査用モーター２４ｄが画像読取部２に設けられる（図３参照）。走査用モーター２４ｄはプーリー２４ｂ又はプーリー２４ｃを回転させる。走査用モーター２４ｄは正逆回転可能である。キャリッジ６を移動させるとき、読取制御部２０は走査用モーター２４ｄを回転させる。これにより、ベルト２４ａが周回する。ベルト２４ａの周回にあわせ、キャリッジ６は水平方向（副走査方向、図２の左右方向）で移動する。原稿を読み取るとき、読取制御部２０は、キャリッジ６を副走査方向に移動させる。走査用モーター２４ｄは、例えば、ステッピングモーターである。例えば、１ステップで、１ドット（１ライン）分、キャリッジ６が移動する。
【００２３】
また、白基準板２３はコンタクトガラス２１の近傍（図２の左側）に設けられる。また、白基準板２３は、キャリッジ６のホームポジション上に設けられる。白基準板２３は、キャリッジ６がホームポジションにあるときに読取可能な位置に設けられる。キャリッジ６がホームポジションにあるとき、キャリッジ６は白基準板２３を読み取る位置となる。複合機１００はホームポジションセンサー２５を含む。ホームポジションセンサー２５は、キャリッジ６がホームポジションにあるときと無いときとで出力レベルが変化する。ホームポジションセンサー２５の出力は、読取制御部２０に入力される。読取制御部２０は、ホームポジションの出力レベルに基づき、キャリッジ６がホームポジションにあるか否かを認識できる。
【００２４】
キャリッジ６はランプ６１とイメージセンサー６２を含む。キャリッジ６はコンタクトガラス２１にセットされた原稿を読み取る。ランプ６１は原稿に光を照射する。イメージセンサー６２は複数の受光素子（画素）を含む。受光素子は主走査方向（副走査方向と垂直な方向）に並べられる。イメージセンサー６２は、例えば、ラインセンサーである。原稿又は原稿押さえ板２２ａで反射された光は、受光素子に入射する。各受光素子は、受光量（反射光量）に応じたアナログ画像信号を出力する。画像読取部２は画像データ生成部７を含む。イメージセンサー６２から出力されたアナログ画像信号に基づき、画像データ生成部７は画像データを生成する。
【００２５】
画像データ生成部７は、例えば、Ａ／Ｄ変換回路７１、補正回路７２を含む。なお、画像データ生成部７は増幅回路、オフセット回路を含んでもよい。増幅回路は、アナログ画像信号を増幅する。オフセット回路は、アナログ画像信号のレベルを補正する。増幅やオフセット補正がなされたアナログ画像信号は、Ａ／Ｄ変換回路７１に入力される。Ａ／Ｄ変換回路７１は、入力されたアナログ画像信号をディジタルの画像信号に変換する。つまり、Ａ／Ｄ変換回路７１は、画像データを生成する。
【００２６】
生成された画像データは補正回路７２に入力される。ランプ６１、イメージセンサー６２、画像データ生成部７の特性に起因して、画像データに歪みが生ずることがある。補正回路７２は、特性に起因する歪みを補正する回路である。例えば、補正回路７２は、シェーディング補正回路７３、白基準値保持部７４、黒基準値保持部７５を含む。補正回路７２は他種の補正用回路を含んでもよい。
【００２７】
受光素子ごとに、白基準値と黒基準値が定められる。シェーディング補正回路７３は、白基準値と黒基準値に基づき、シェーディング補正を行う。白基準値保持部７４は、各受光素子の白基準値を保持する。黒基準値保持部７５は、各受光素子の黒基準値を保持する。シェーディング補正回路７３は、黒基準値と白基準値に基づきシェーディング補正の演算を行う。シェーディング補正の演算式の一例は、以下のとおりである。補正画素値＝（補正前画素値−黒基準値）×｛最大画素値／（白基準値−黒基準値）｝。なお、シェーディング補正回路７３は他の演算式でシェーディング補正を行ってもよい。
【００２８】
白基準値は白基準板２３を読み取ることで得られる。ランプ６１を点灯させ、白基準値保持部７４は、白基準板２３を読み取って得られたラインの画像データを保持する。白基準板２３を読み取ったときの受光素子ごとの画素値（デジタル値）が白基準値となる。黒基準値は、ランプ消灯時のイメージセンサー６２の出力に基づき得られる。黒基準値保持部７５は、ランプ消灯時のラインの画像データを保持する。受光素子ごとのランプ消灯時の画素値（デジタル値）が黒基準値となる。
【００２９】
（原稿のセット）
次に、図４を用いて、実施形態に係るコンタクトガラス２１への原稿のセットの一例を説明する。図４は、実施形態に係るコンタクトガラス２１への原稿のセットの一例を示す図である。
【００３０】
図４は、コンタクトガラス２１を上側から見た図である。図４では、便宜状、原稿押さえ部２２の図示を省略している。図４に示すように、原稿セットの基準位置Ｐ０が設けられる。基準位置Ｐ０は、コンタクトガラス２１の背面側（奥側）、かつ、左側の隅とされる。原稿は読み取る面を下側に向けられ、かつ、基準位置Ｐ０に原稿の左上隅をあわせてセットされる。コンタクトガラス２１の左端部（副走査方向において、ホームポジションに近い方の端辺）の左側に白基準板２３が設けられる。なお、原稿の副走査方向の先端側の端辺の位置は、副走査方向においてホームポジションに近い方のコンタクトガラス２１の端辺と重なる。なお、白基準板２３の下方がホームポジションとなる。
【００３１】
（読取モード）
次に、図５〜図７を用いて、実施形態に係る複合機１００での読取モードを説明する。図５は実施形態に係る複合機１００の通常読取モードでの読取の一例を示す図である。図６は実施形態に係る複合機１００の速度優先モードでの読取の一例を示す図である。図７は実施形態に係る複合機１００の画質速度優先モードでの読取の一例を示す図である。
【００３２】
複合機１００は連続読取モードを有する。操作パネル４は、連続読取モードを利用する設定を受け付ける。連続読取モードは、操作パネル４が読取完了を受け付けるまで（読取完了ボタンＢ１が操作されるまで）、コンタクトガラス２１にセットされた原稿の読取を繰り返すモードである（図１４参照）。連続読取モードは、読取完了後にジョブを開始するモードである。例えば、コピージョブや送信ジョブで連続読取モードを利用することができる。連続読取モードの設定がなされたとき、表示パネル４１に表示される読取開始ボタンＢ２（図１４参照）、又は、スタートキー（ハードキー４３）が操作されるたびに、読取制御部２０は、原稿の読取を行う。１枚の原稿の読取がなされるごとに、使用者は、新たな原稿をセットし、原稿を入れ替える。
【００３３】
必要な原稿の読取が終わったとき、使用者は読取完了の操作を操作パネル４に行う。例えば、連続読取モードの間、制御部１は読取完了ボタンＢ１を表示パネル４１に表示させる。操作パネル４は、読取完了ボタンＢ１の操作を読取完了指示として受け付ける。読取完了指示がなされた場合、コピージョブのとき、連続読取モードの読取で得られた複数枚の画像データに基づき制御部１は印刷部５に印刷を行わせる。送信ジョブのとき、制御部１は連続読取モードの読取に基づく複数枚の画像データを、通信部１０に送信させる。
【００３４】
連続読取モードに関し、複数の読取モードが設けられる。具体的に、通常読取モード、速度優先モード、画質優先モードが設けられる。操作パネル４は、連続読取モードで使用するモードの選択を受け付ける。
【００３５】
〈通常読取モードでの読取動作〉
図５を用いて、通常読取モードでの読取動作の一例を説明する。なお、連続読取モードを利用しない場合（原稿を１枚だけ読み取ってジョブを実行する場合）、通常読取モードでの読取がなされる。
【００３６】
図５のＨＰは、ホームポジションを示す。図５のＡは、セットされた原稿の先頭側の辺の位置を示す。原稿の先頭側の辺は、副走査方向において、ホームポジションに近い方の原稿の端部である。また、原稿の先頭側の辺は、副走査方向において、基準位置Ｐ０と一致する。原稿の先頭側の辺は、副走査方向において、コンタクトガラス２１のホームポジションに近い方のエッジと一致する。
【００３７】
図５のＢは、セットされた原稿の後端側の辺の位置を示す。原稿の後端側の辺は、副走査方向において、ホームポジションからに遠い方の原稿のエッジである。なお、セットする原稿のサイズは、操作パネル４で設定できる。操作パネル４の設定に基づき、制御部１と読取制御部２０は、セットされた原稿のサイズを認識できる。言い換えると、制御部１と読取制御部２０は、ＡとＢの距離を認識できる。
【００３８】
通常読取モードの場合、読取制御部２０は黒基準値を取得する。次に、読取制御部２０はランプ６１を点灯させる。読取制御部２０は、ホームポジションで白基準板２３を読み取る。読取制御部２０は白基準値を取得する。読取制御部２０は、ホームポジションからコンタクトガラス２１及び原稿（に向けてキャリッジ６の移動を開始させる。読取制御部２０は、走査用モーター２４ｄの回転を開始させる。読取制御部２０は、原稿の先端（Ａ）からキャリッジ６に読取を開始させる。言い換えると、読取制御部２０は、副走査方向において、ホームポジションに近い方の原稿の端辺からキャリッジ６に読取を開始させる。なお、ホームポジションとコンタクトガラス２１の左側の端部までの距離（読取開始距離）は決まっている。移動開始から、キャリッジ６が読取開始距離だけ移動してから、読取制御部２０は、キャリッジ６に読取を開始させる。
【００３９】
読取制御部２０は、原稿の後端（Ｂ）までキャリッジ６に読取を行わせる。言い換えると、読取制御部２０は、副走査方向において、ホームポジションに遠い方の原稿の端辺まで、キャリッジ６に読取させる。これにより、セットされた１枚の原稿の読取がなされる。原稿の読取後、図５に示すように、読取制御部２０は、キャリッジ６をホームポジションまで戻す。ホームポジションセンサー２５の出力に基づき、読取制御部２０は、キャリッジ６のホームポジションへの帰還を認識する。そして、読取制御部２０は、走査用モーター２４ｄを停止させる。
【００４０】
〈速度優先モードでの読取動作〉
次に、図６を用いて、速度優先モードでの読取動作の一例を説明する。なお、速度優先モードでは、操作パネル４は読取範囲８の設定を受け付ける。使用者は、読取範囲８の開始位置８１と終了位置８２を設定する。なお、読取範囲８の設定の詳細は後述する。
【００４１】
図６のＨＰは、ホームポジションを示す。図６のＡは、セットされた原稿の先頭側の辺の位置を示す（図５と同様）。図６のＢは、セットされた原稿の後端側の辺の位置を示す（図５と同様）。図６のＣは、設定された読取範囲８の開始位置８１を示す。図６のＤは、設定された読取範囲８の終了位置８２を示す。
【００４２】
速度優先モードの場合、１枚目の原稿と２枚目以降の原稿では、キャリッジ６の移動手法が異なる。まず、図６の上側の図を用いて、設定された読取範囲８での１枚目の原稿読取を説明する。
【００４３】
まず、設定された読取範囲８で１枚目の原稿の読取を開始するとき、読取制御部２０は、キャリッジ６をホームポジションにセットする。そして、読取制御部２０は黒基準値を取得する。次に、読取制御部２０はランプ６１を点灯させる。読取制御部２０は、ホームポジションで白基準板２３を読み取る。読取制御部２０は、白基準値を取得する。読取制御部２０は、ホームポジションから原稿（コンタクトガラス２１）に向けてキャリッジ６の移動を開始させる。読取制御部２０は、走査用モーター２４ｄの回転を開始させる。読取制御部２０は、原稿の先端（Ａ）からキャリッジ６に読取を開始させる。言い換えると、読取制御部２０は、副走査方向において、ホームポジションに近い方の原稿の端辺からキャリッジ６に読取を開始させる。
【００４４】
読取制御部２０は、原稿の後端（Ｂ）までキャリッジ６に読取を行わせる。言い換えると、読取制御部２０は、副走査方向において、ホームポジションに遠い方の原稿の端辺まで、キャリッジ６に読取させる。これにより、セットされた１枚の原稿の読取がなされる。原稿の読取後、図６の上側の図に示すように、読取制御部２０は、キャリッジ６の読取ラインの位置が設定された開始位置８１となる位置に、キャリッジ６を戻す。読取ラインの位置がキャリッジ６の副走査方向の中心の場合、読取制御部２０は、キャリッジ６の副走査方向の中心を開始位置８１（Ｃ）とする。読取制御部２０は、走査用モーター２４ｄを停止させる。読取制御部２０は、キャリッジ６をホームポジションまで戻さない。
【００４５】
設定された読取範囲８での２枚目以降の原稿の読取を開始するとき、読取制御部２０は、走査用モーター２４ｄの回転を開始させる。そして、読取制御部２０は、読取ラインの位置を開始位置８１（Ｃ）から終了位置８２（Ｄ）まで移動させる。読取制御部２０は、設定された読取範囲８のみの読取を行わせる。
【００４６】
次の原稿の読取範囲８も同じ場合、原稿の読取後、読取制御部２０は、キャリッジ６の読取ラインの位置が設定された開始位置８１（Ｃ）となる位置に、キャリッジ６を戻す（図６の下側の図）。そして、読取制御部２０は、走査用モーター２４ｄを停止させる。読取制御部２０は、キャリッジ６をホームポジションまで戻さない。同じ読取範囲８で複数枚の原稿を読み取る場合、２枚目以降の原稿では、読取制御部２０は、読取ラインの位置を開始位置８１（Ｃ）と終了位置８２（Ｄ）の間で往復させる。読取制御部２０は、読取範囲８のみの読取を行わせる。
【００４７】
〈画質優先モードでの読取動作〉
次に、図７を用いて、画質優先モードでの読取動作の一例を説明する。なお、画質優先モードでも、操作パネル４は読取範囲８の設定を受け付ける。使用者は、読取範囲８の開始位置８１と終了位置８２を設定する。
【００４８】
図７のＨＰは、ホームポジションを示す。図７のＡは、セットされた原稿の先頭側の辺の位置を示す（図５、図６と同様）。図６のＢは、セットされた原稿の後端側の辺の位置を示す（図５、図６と同様）。図７のＣは、設定された読取範囲８の開始位置８１を示す。図７のＤは、設定された読取範囲８の終了位置８２を示す。
【００４９】
画質優先モードの場合、１枚目の原稿と２枚目以降の原稿では、キャリッジ６の移動手法が異なる。まず、図７の上側の図を用いて、設定された読取範囲８での１枚目の原稿読取を説明する。
【００５０】
まず、設定された読取範囲８で１枚目の原稿の読取を開始するとき、読取制御部２０は、キャリッジ６をホームポジションにセットする。そして、読取制御部２０は黒基準値を取得する。次に、読取制御部２０はランプ６１を点灯させる。読取制御部２０は、ホームポジションで白基準板２３を読み取る。読取制御部２０は、白基準値を取得する。読取制御部２０は、走査用モーター２４ｄの回転を開始させる。読取制御部２０は、ホームポジションから原稿（コンタクトガラス２１）に向けてキャリッジ６の移動を開始させる。読取制御部２０は、原稿の先端（Ａ）からキャリッジ６に読取を開始させる。
【００５１】
読取制御部２０は、原稿の後端（Ｂ）まで読み取るようにキャリッジ６を移動させる。読取制御部２０は原稿の後端（Ｂ）までキャリッジ６に読取を行わせる。読取制御部２０は、副走査方向において、ホームポジションに遠い方の原稿の端辺まで、キャリッジ６に読取させる。これにより、セットされた１枚の原稿の読取がなされる。原稿の読取後、図７の上側の図に示すように、読取制御部２０は、キャリッジ６をホームポジションまで戻す。ホームポジションセンサー２５の出力に基づき、読取制御部２０は、キャリッジ６のホームポジションへの帰還を認識する。そして、読取制御部２０は、走査用モーター２４ｄを停止させる。
【００５２】
設定された読取範囲８での２枚目以降の原稿の読取を開始するとき、読取制御部２０は黒基準値を取得する。次に、読取制御部２０はランプ６１を点灯させる。読取制御部２０は、ホームポジションで白基準板２３を読み取る。読取制御部２０は、白基準値を取得する。画質優先モードでは、１回原稿を読み取るごとに、読取制御部２０は、黒基準値と白基準値を更新する。そして、読取制御部２０は、走査用モーター２４ｄの回転を開始させる。読取制御部２０は、ホームポジションから原稿（コンタクトガラス２１）に向けてキャリッジ６の移動を開始させる。
【００５３】
そして、読取制御部２０は、ホームポジションから、読取ラインの位置が設定された終了位置８２（Ｄ）となる位置まで移動させる。また、読取制御部２０は、設定された読取範囲８のみの読取を行わせる。次の原稿の読取範囲８も同じ場合、原稿の読取後、図７の下側の図に示すように、読取制御部２０は、キャリッジ６をホームポジションに戻す。そして、読取制御部２０は、走査用モーター２４ｄを停止させる。同じ読取範囲８で複数枚の原稿を読み取る場合、２枚目以降の原稿では、読取制御部２０は、ホームポジションと読取ラインの位置が終了位置８２（Ｄ）となる位置の間でキャリッジ６を往復させる。読取制御部２０は、読取範囲８のみの読取を行わせる。
【００５４】
（読取範囲８の設定）
次に、図８〜図１２を用いて、実施形態に係る速度優先モードと画質優先モードでの読取範囲８の設定の一例を説明する。図８は、実施形態に係る読取範囲８の設定の流れの一例を示す図である。図９は、実施形態に係る読取範囲設定画面９１の一例を示す図である。図１０は、実施形態に係るテストスキャン結果画面９２の一例を示す図である。図１１は、実施形態に係るメッセージ表示画面９３の一例を示す図である。図１２は、実施形態に係る順番設定画面９４の一例を示す図である。
【００５５】
図８のスタートは、操作パネル４が連続読取モードのうち、速度優先モード又は画質優先モードを用いる操作を受け付けた時点である。
【００５６】
操作パネル４は、読取範囲８の設定を受け付ける（ステップ♯１１）。読取範囲８の設定を受け付けるため、制御部１は、読取範囲設定画面９１を表示パネル４１に表示させる。図９は、読取範囲設定画面９１の一例を示す。読取範囲設定画面９１は、原稿サイズ設定欄Ｃ１、開始位置入力欄Ｃ２、終了位置入力欄Ｃ３、テストスキャンボタンＢ３、読取範囲追加ボタンＢ４、範囲設定完了ボタンＢ５を含む。
【００５７】
原稿サイズ設定欄Ｃ１は、読み取る原稿のサイズと方向を設定するための欄である。原稿サイズ設定欄Ｃ１が操作されたとき、制御部１は、プルダウンメニューを表示パネル４１に表示させる。プルダウンメニューには、選択可能な原稿サイズと原稿のセット方向の組み合わせが含まれる。例えば、Ａ４サイズ（縦）、Ａ４サイズ（横）、レターサイズ（縦）、レターサイズ（横）のようなメニューが表示される。操作パネル４は、メニューからセットする原稿のサイズとそのセット方向の選択を受け付ける。
【００５８】
開始位置入力欄Ｃ２、終了位置入力欄Ｃ３は開始位置８１と終了位置８２を数値入力するための欄である。開始位置入力欄Ｃ２と終了位置入力欄Ｃ３が操作されたとき、制御部１は、ソフトウェアキーボードを表示させる。使用者はソフトウェアキーボードを用いて、開始位置８１と終了位置８２を設定できる。開始位置８１の設定のため、使用者は、基準位置Ｐ０（コンタクトガラス２１の左端、原稿の副走査方向の先端）から開始位置８１までの副走査方向の長さ（距離）を入力する。終了位置８２を設定するため、使用者は、基準位置Ｐ０（コンタクトガラス２１の左端、原稿の副走査方向の先端）から終了位置８２までの副走査方向の長さ（距離）を入力する。例えば、使用者は、定規で原稿を測った結果に基づき、値を入力する。読取制御部２０は、入力された値に基づき、読取範囲８の開始位置８１と終了位置８２を認識する。
【００５９】
テスト的に原稿を読み取って、読取範囲８が正しいか否かを確認することができる。使用者は、設定した読取範囲８で読み取る原稿を一部、コンタクトガラス２１にセットする。テストスキャンボタンＢ３が操作されたとき、読取制御部２０は、キャリッジ６を移動させ、設定された読取範囲８のみ、原稿を読み取らせる。そして、制御部１は、テストスキャン結果画面９２を表示させる。図１０はテストスキャン結果画面９２の一例を示す。
【００６０】
テストスキャン結果画面９２は、プレビュー表示領域Ｆ１とプレビュー終了ボタンＢ６を含む。プレビュー表示領域Ｆ１には、設定された読取範囲８のみの読取結果を示すプレビュー画像ｉ１が表示される。読取制御部２０はプレビュー画像ｉ１を生成する。プレビュー画像ｉ１は、原稿全体を示す枠線を含む。プレビュー画像ｉ１は、枠線内に設定された読取範囲８のみの読取結果を埋め込む。プレビュー画像ｉ１により、読取範囲８の設定が正しいか否かを確認できる。不適切な場合、使用者は、開始位置８１と終了位置８２の値を調整する。プレビュー終了ボタンＢ６が操作されたとき、読取制御部２０は、テストスキャンボタンＢ３操作時の読取範囲設定画面９１を再表示させる（戻る）。
【００６１】
ここで、ホームポジション（原稿の先端）からみて、原稿の副走査方向の中心よりも外側に読取範囲８が設定されることがある。この場合、原稿のセット向きを１８０度回転させれば、ホームポジション（基準位置Ｐ０、コンタクトガラス２１の左端、副走査方向においてホームポジションに近い方のコンタクトガラス２１の端部、原稿の副走査方向の先端）から開始位置８１までの距離が近くなる。つまり、原稿のセット向きを１８０度回転させれば、読取中のキャリッジ６の移動距離を少なくすることができる。
【００６２】
そこで、制御部１は、設定された読取範囲８の開始位置８１が、ホームポジションからみて、原稿の副走査方向の中心よりも外側にあるか否かを判定する。設定された開始位置８１が、ホームポジションからみて、原稿の副走査方向の中心よりも外側にあるとき、制御部１は、原稿を１８０度回転すべきメッセージを表示パネル４１に表示させてもよい。これにより、キャリッジ６の移動距離を短くすることを使用者に伝えることができる。図１１は、メッセージ表示画面９３の一例を示す。この場合、使用者は、読取範囲８を修正できる。
【００６３】
また、読取範囲追加ボタンＢ４を操作することにより、別の読取範囲８を設定することができる。読取範囲追加ボタンＢ４が操作されたとき、制御部１は、設定されている読取範囲８を記憶部３に記憶させる。また、制御部１は、原稿サイズ設定欄Ｃ１、開始位置入力欄Ｃ２、終了位置入力欄Ｃ３に値が入力されていない読取範囲設定画面９１を表示パネル４１に表示させる。言い換えると、新たな読取範囲設定画面９１が表示される。このように、操作パネル４は、複数種類の読取範囲８の設定を受け付ける。
【００６４】
読取範囲８の設定を終了するとき、使用者は範囲設定完了ボタンＢ５を操作する。操作パネル４は、読取範囲８の設定完了を受け付ける。範囲設定完了ボタンＢ５を操作するまで、使用者は、複数の読取範囲８を設定できる。これにより、読取範囲８の設定が完了する（ステップ♯１２）。範囲設定完了ボタンＢ５が操作されたとき、制御部１は、順番設定画面９４を表示パネル４１に表示させる。
【００６５】
次に、操作パネル４は、読取範囲８の使用順と、各読取範囲８で読み取る原稿の枚数の設定を受け付ける（ステップ♯１３）。読取範囲８の使用順と、各読取範囲８で読み取る原稿の枚数の設定を受け付けるため、制御部１は、読取範囲設定画面９１を表示パネル４１に表示させる。図１２は順番設定画面９４の一例を示す。
【００６６】
順番設定画面９４は、読取範囲ボタンＢ７と設定完了ボタンＢ８を含む。複数の読取範囲８が設定されたとき、制御部１は、複数の読取範囲ボタンＢ７を表示パネル４１に表示させる。図１２では、４つの読取範囲８が設定された場合を示す。４つ以上、読取範囲８を設定できてもよい。「第１読取範囲」の語を含む読取範囲ボタンＢ７は、最初に設定された読取範囲８と対応する。「第２読取範囲」の語を含む読取範囲ボタンＢ７は、２番目に設定された読取範囲８と対応する。「第３読取範囲」の語を含む読取範囲ボタンＢ７は、３番目に設定された読取範囲８と対応する。「第４読取範囲」の語を含む読取範囲ボタンＢ７は、４番目に設定された読取範囲８と対応する。
【００６７】
各読取範囲ボタンＢ７は、範囲表示画像ｉ２を含む。範囲表示画像ｉ２は、設定された読取範囲８を模式的に示す図である。制御部１は、範囲表示画像ｉ２を生成する。制御部１は、読取範囲８（開始位置８１と終了位置８２の間）を塗りつぶす。例えば、制御部１は、読取範囲８に対応する原稿サイズの空白の画像データを生成する。さらに、制御部１は、空白の画像データのうち、開始位置８１に対応する画素を通る主走査方向のラインと終了位置８２に対応する画素を通る主走査方向のラインを認識する。制御部１は、各主走査方向のラインの間の画素を黒画素にする。そして、制御部１は、画像データを縮小し、範囲表示画像ｉ２を生成する。範囲表示画像ｉ２により、どの読取範囲ボタンＢ７が、どの読取範囲８と対応しているかがわかりやすくなる。
【００６８】
読取範囲ボタンＢ７を操作することにより、適用する読取範囲８の順番を定めることができる。図１２の下側の図は、７回、読取範囲ボタンＢ７を操作することにより、１番目から７番目まで、読取範囲８の使用順を定めた状態を示す。例えば、使用順の上限値は、十数〜数十とできる。このように、複数の読取範囲８が設定されたとき、操作パネル４は、読取範囲８の使用順の設定を受け付ける。さらに、使用する読取範囲８ごとに、読み取る原稿の枚数を設定することができる。選択した読取範囲８ごとに読取枚数８３の入力欄が設けられる。読取枚数８３の入力欄が操作されたとき、制御部１は、ソフトウェアキーボードを表示パネル４１に表示させる。操作パネル４は、読取範囲８ごとの読取枚数８３（原稿枚数）の設定を受け付ける。
【００６９】
例えば、複数のアンケート用紙の束を、連続で読み取りたい場合がある。束ごとにアンケート用紙の種類が異なるため、アンケート用紙の束ごとに読み取りたい範囲が異なる場合がある。このような場合、読取範囲８を複数設定する。そして、各束の枚数を設定する。これにより、１回の連続読取モードで、読取範囲８を自由に切り替え、複数の原稿束を読み取ることができる。
【００７０】
また、１つの原稿束が複数種類のアンケート用紙を含む場合がある。種類ごとに読み取りたい範囲が異なる場合がある。このような場合でも、連続読取モード中、設定した読取範囲８を柔軟に変更することができる。また、それぞれの読取範囲８で読み取る枚数を設定することができる。
【００７１】
予め適用する読取範囲８と、各読取範囲８での読取枚数８３をプログラムしておくことができる。連続読取モードでの読取作業中、読取範囲８を変更するための複雑な作業をしなくて済む。連続読取モード中、使用者は、原稿を入れ替える作業に集中すればよい。なお、設定した読取範囲８が１つの場合、制御部１は、読取枚数８３の入力欄のみを表示パネル４１に表示させてもよい。操作パネル４は、読取枚数８３の入力を受け付ける。
【００７２】
読取範囲８の使用順と各読取範囲８の読取枚数８３の設定を終了するとき、使用者は設定完了ボタンＢ８を操作する。操作パネル４は設定完了を受け付ける。読取範囲８の使用順と、各読取範囲８での読取枚数８３の設定が完了する（ステップ♯１４）。速度優先モード又は画質優先モードの設定が完了したので、本フローは終了する（エンド）。
【００７３】
（速度優先モード又は画質優先モードでの連続読取）
次に、図１３〜図１５を用いて、実施形態に係る複合機１００での速度優先モード又は画質優先モードでの読取の一例を説明する。図１３は実施形態に係る複合機１００での速度優先モード又は画質優先モードでの読取の流れの一例を示す図である。図１４は、実施形態に係る連続読取画面９５の一例を示す図である。図１５は実施形態に係る複合機１００での速度優先モード又は画質優先モードでの読取の流れの一例を示す図である。図１６は、実施形態に係る確認メッセージ画面９６の一例を示す図である。
【００７４】
まず、図１３を用いて、設定された読取範囲８が１つの場合の読取の流れの一例を説明する。図１３のスタートは、速度優先モード又は画質優先モードの設定に関する設定が完了した時点である（図８のフローチャートが終了した時点）。
【００７５】
まず、制御部１は、連続読取画面９５を表示パネル４１に表示させる（ステップ♯２１）。図１４は、連続読取画面９５の一例を示す。図１４に示すように、連続読取画面９５は、読取開始ボタンＢ２と読取完了ボタンＢ１を含む。原稿のセットが完了したとき、使用者は読取開始ボタンＢ２を操作する。読取を終了するとき（連続読取モードを終了するとき）、使用者は、読取完了ボタンＢ１を操作する。また、制御部１は、読取開始ボタンＢ２の下方に、読取済の原稿の枚数を表示パネル４１に表示させる。図１４は、原稿を５枚読み取ったときの連続読取画面９５の一例を示す。制御部１は、連続読取モードで原稿を読み取る間、連続読取画面９５を表示パネル４１に表示させる。
【００７６】
操作パネル４は１枚目の原稿の読取開始を受け付ける（ステップ♯２２）。言い換えると、操作パネル４は、読取開始ボタンＢ２の操作を受け付ける。読取制御部２０は、１枚目の原稿全体の読取を行わせる（ステップ♯２３）。このとき、読取制御部２０は、黒基準値と白基準値をイメージセンサー６２に取得させる。そして、読取制御部２０は、走査用モーター２４ｄを動作させる。読取制御部２０は、ホームポジションから原稿の後端まで読取ラインの位置を移動させる。読取制御部２０は、原稿の先端から後端まで、キャリッジ６に原稿を読み取らせる。読取に基づき、読取制御部２０は１枚目の原稿全体の画像データを画像データ生成部７に生成させる。そして、記憶部３は、１枚目の原稿全体の画像データを記憶する。
【００７７】
そして、読取制御部２０はキャリッジ６を移動させる（ステップ♯２４）。速度優先モードの場合、読取制御部２０は、原稿の読取完了後、読取ラインの位置が設定された読取範囲８の開始位置８１となるように、キャリッジ６を移動させる。画質優先モードの場合、読取制御部２０は、キャリッジ６をホームポジションに戻す。
【００７８】
制御部１は、読取完了か否かを判断する（ステップ♯２５）。具体的に、操作パネル４が読取完了ボタンＢ１の操作を受け付けたか否かを確認する。操作パネル４が読取完了ボタンＢ１の操作を受け付けたとき、制御部１は読取完了と判断する。読取完了と判断したとき（ステップ♯２５のＹｅｓ）、本フローは終了する（エンド）。本フローの終了後、制御部１は、読取で得られた画像データに基づき、印刷又は送信ジョブを実行する。なお、速度優先モードのとき、読取制御部２０は、走査用モーター２４ｄを動作させ、キャリッジ６をホームポジションに戻す。
【００７９】
読取完了と判断できないとき（ステップ♯２５のＮｏ）、制御部１は、２枚目以降の原稿の読取を開始するか否かを判断する（ステップ♯２６）。具体的に、操作パネル４が読取開始ボタンＢ２の操作を受け付けたか否かを確認する。読取開始と判断できないとき（ステップ♯２６のＮｏ）、フローはステップ♯２５に戻る。読取開始と判断できたとき（ステップ♯２５のＮｏ）、読取制御部２０は、２枚目以降の原稿については、設定された読取範囲８のみ読取を行わせる（ステップ♯２７）。
【００８０】
速度優先モードのとき、読取制御部２０は、読取ラインの位置を、開始位置８１から終了位置８２まで移動させることにより、読取範囲８のみの読取を前記イメージセンサー６２に行わせる。画質優先モードのとき、読取制御部２０は、黒基準値と白基準値をイメージセンサー６２に取得させる。そして、読取制御部２０は、走査用モーター２４ｄを動作させる。読取制御部２０は、読取ラインの位置を、白基準板２３を読み取る位置（ホームポジション）から、終了位置８２まで移動させることにより、読取範囲８のみの読取をイメージセンサー６２に行わせる。
【００８１】
そして、制御部１（画像処理回路１２）は、読取結果に基づき、２枚目の原稿の画像データを生成する（ステップ♯２８）。具体的に、制御部１は、１枚目の原稿全体の画像データを利用して、２枚目以降の原稿の画像データを生成させる。まず、制御部１（画像処理回路１２）は、１枚目の原稿の読取で得られた画像データ全体をコピーする。そして、制御部１（画像処理回路１２）は、コピーした画像データに、読取範囲８のみの読取で得られた画像データを嵌め込む。制御部１（画像処理回路１２）は、コピーした画像データのうち、開始位置８１から終了位置８２までの帯状の画像データの部分に、読取範囲８のみの読取で得られた画像データを上書きする。これにより、読取範囲８のみを読み取っても、２枚目以降の原稿について、１ページ全体の画像データを得ることができる。そして、フローはステップ♯２４に戻る。
【００８２】
次に、図１５を用いて、設定された読取範囲８が複数の場合の読取の流れの一例を説明する。図１５のスタートは、速度優先モード又は画質優先モードの設定に関する設定が完了した時点である（図８のフローチャートが終了した時点）。
【００８３】
まず、制御部１は、連続読取画面９５を表示パネル４１に表示させる（ステップ♯３１、図１４）。次に、操作パネル４は、１枚目の原稿の読取開始を受け付ける（ステップ♯３２）。言い換えると、操作パネル４は、読取開始ボタンＢ２の操作を受け付ける。読取制御部２０は、１枚目の原稿全体の読取を行わせる（ステップ♯３３）。このとき、読取制御部２０は、黒基準値と白基準値をイメージセンサー６２に取得させる。そして、読取制御部２０は、走査用モーター２４ｄを動作させる。読取制御部２０は、ホームポジションから原稿の後端まで読取ラインの位置を移動させる。読取制御部２０は、キャリッジ６に原稿の先端から後端まで原稿を読み取らせる。読取に基づき、読取制御部２０は、１枚目の原稿全体の画像データを画像データ生成部７に生成させる。そして、記憶部３は、１枚目の原稿全体の画像データを記憶する。
【００８４】
次に、読取制御部２０は、読取範囲８を切り替えるか否かを確認する（ステップ♯３４）。例えば、読取制御部２０は、現在の読取範囲８について、設定された読取枚数８３の読取を行ったとき、読取範囲８を次の順番に切り替えると判定してもよい。この場合、自動的に、読取範囲８が次の順番の読取範囲８に切り替えられる。例えば、１番目の読取範囲８について、読取枚数８３が５枚に設定されている場合、１番目の読取範囲８で５枚を読み取ったとき、読取制御部２０は、２番目の読取範囲８に切り替えると判定する。一方、現在の読取範囲８について、設定された読取枚数８３の読取を行っていないとき、読取制御部２０は、読取範囲８を次の順番に切り替えないと判定してもよい。
【００８５】
なお、制御部１は、設定された読取枚数８３の読取完了後、読取範囲８の変更を行うか否かの確認メッセージを表示パネル４１に表示させてもよい。図１６は、確認メッセージ画面９６の一例を示す。確認メッセージ画面９６には、ＹｅｓボタンＢ９とＮｏボタンＢ１０が配される。次の順番の読取範囲８に切り替えたい場合、使用者は、ＹｅｓボタンＢ９を操作する。一方、読取枚数８３を誤って設定してしまう場合がある。読取範囲８を変更したくない場合、使用者はＮｏボタンＢ１０を操作する。これにより、読取枚数８３を少なく設定しても、読取範囲８を変えずに次の原稿の読取を続けることができる。確認メッセージを表示する場合、操作パネル４がＹｅｓボタンＢ９の操作を受け付けたとき、読取制御部２０は、読取範囲８を切り替えると判定する。つまり、確認メッセージの表示後、操作パネル４が読取範囲８の変更指示を受け付けたとき、読取制御部２０は、読取範囲８を変更する。操作パネル４がＮｏボタンＢ１０の操作を受け付けたとき、読取制御部２０は、読取範囲８を切り替えないと判定する。
【００８６】
読取範囲８を切り替えないと判定した場合（ステップ♯３４のＮｏ）、読取制御部２０は、キャリッジ６を移動させる（ステップ♯３５）。速度優先モードの場合、読取制御部２０は、原稿の読取完了後、読取ラインの位置が現在の読取範囲８の開始位置８１となるように、キャリッジ６を移動させる。画質優先モードの場合、読取制御部２０は、キャリッジ６をホームポジションに戻す。
【００８７】
次に、制御部１は、読取完了か否かを判断する（ステップ♯３６）。具体的に、操作パネル４が読取完了ボタンＢ１の操作を受け付けたか否かを確認する。操作パネル４が読取完了ボタンＢ１の操作を受け付けたとき、制御部１は読取完了と判断する。読取完了と判断したとき（ステップ♯３６のＹｅｓ）、本フローは終了する（エンド）。本フローの終了後、制御部１は、読取で得られた画像データに基づき、印刷又は送信ジョブを実行する。なお、速度優先モードのとき、読取制御部２０は、走査用モーター２４ｄを動作させ、キャリッジ６をホームポジションに戻す。
【００８８】
読取完了ボタンＢ１ではなく、読取開始ボタンＢ２が操作されたとき（ステップ♯３６のＮｏ）、読取制御部２０は、同じ読取範囲８での読取において、２枚目以降の原稿については、設定された読取範囲８のみ読取を行わせる（ステップ♯３７）。速度優先モードのとき、読取制御部２０は、読取ラインの位置を、開始位置８１から終了位置８２まで移動させることにより、読取範囲８のみの読取をイメージセンサー６２に行わせる。画質優先モードのとき、読取制御部２０は、黒基準値と白基準値をイメージセンサー６２に取得させる。そして、読取制御部２０は、走査用モーター２４ｄを動作させる。読取制御部２０は、読取ラインの位置を、白基準板２３を読み取る位置（ホームポジション）から、終了位置８２まで移動させることにより、読取範囲８のみの読取をイメージセンサー６２に行わせる。
【００８９】
そして、制御部１（画像処理回路１２）は、読取結果に基づき、現在の読取範囲８での２枚目以降の原稿の画像データを生成する（ステップ♯３８）。制御部１は、現在の読取範囲８と同じ読取範囲８での１枚目の原稿全体の画像データを利用する。まず、制御部１（画像処理回路１２）は、１枚目の原稿の読取で得られた画像データ全体をコピーする。そして、制御部１（画像処理回路１２）は、コピーした画像データに、現在の読取範囲８のみの読取で得られた画像データを嵌め込む。制御部１（画像処理回路１２）は、コピーした画像データのうち、開始位置８１から終了位置８２までの帯状の画像データの部分に、読取範囲８のみの読取で得られた画像データを上書きする。これにより、読取範囲８のみを読み取っても、現在の読取範囲８の２枚目以降の原稿について、１ページ全体の画像データを得ることができる。そして、フローはステップ♯３４に戻る。
【００９０】
一方、読取範囲８を切り替えると判定した場合（ステップ♯３４のＹｅｓ）、制御部１は読取完了か否かを判断する（ステップ♯３９）。操作パネル４が読取完了ボタンＢ１の操作を受け付けたか否かを確認する。操作パネル４が読取完了ボタンＢ１の操作を受け付けたとき、制御部１は読取完了と判断する。読取完了と判断したとき（ステップ♯３９のＹｅｓ）、本フローは終了する（エンド）。なお、速度優先モードのとき、読取制御部２０は、走査用モーター２４ｄを動作させ、キャリッジ６をホームポジションに戻す。
【００９１】
読取完了ボタンＢ１ではなく、読取開始ボタンＢ２が操作されたとき（ステップ♯３９のＮｏ）、読取制御部２０は、次の順番の読取範囲８での読取が１枚目か否かを確認する（ステップ♯３１０）。１枚目の場合（ステップ♯３１０のＹｅｓ）、原稿の全体を読み取るため、読取制御部２０は、キャリッジ６をホームポジションに移動させる（ステップ♯３１１）。ステップ♯３１１の後、フローは、ステップ♯３３に戻る。
【００９２】
順番設定画面９４で順番を隔てて、同じ読取範囲８が設定される場合がある。読取範囲８が一度切り替えられた後、同じ読取範囲８を再度使用する設定がなされた場合、ステップ♯３１０がＮｏとなる場合がある。次の順番の読取範囲８での読取が１枚目ではない場合（ステップ♯３１０のＮｏ）、読取制御部２０は、キャリッジ６をモードにあわせて移動させる（ステップ♯３１２）。速度優先モードの場合、読取制御部２０は読取ラインの位置が切替後の読取範囲８の開始位置８１となるように、キャリッジ６を移動させる。画質優先モードの場合、読取制御部２０はキャリッジ６をホームポジションに戻す。
【００９３】
そして、読取制御部２０は、同じ読取範囲８についての２枚目以降の原稿を、設定された読取範囲８のみ読み取らせる（ステップ♯３１３）。速度優先モードのとき、読取制御部２０は、読取ラインの位置を、開始位置８１から終了位置８２まで移動させることにより、読取範囲８のみの読取をイメージセンサー６２に行わせる。画質優先モードのとき、読取制御部２０は、黒基準値と白基準値をイメージセンサー６２に取得させる。そして、読取制御部２０は、走査用モーター２４ｄを動作させる。読取制御部２０は、前記読取ラインの位置を、白基準板２３を読み取る位置（ホームポジション）から、終了位置８２まで移動させることにより、読取範囲８のみの読取をイメージセンサー６２に行わせる。
【００９４】
そして、制御部１（画像処理回路１２）は、読取結果に基づき、原稿の画像データを生成する（ステップ♯３１４）。制御部１は、現在（切替後）の読取範囲８の設定で読み取った１枚目の原稿全体の画像データを利用する。まず、制御部１（画像処理回路１２）は、現在の読取範囲８の設定で以前に読み取った１枚目の原稿の画像データ全体をコピーする。そして、制御部１（画像処理回路１２）は、コピーした画像データに、現在の読取範囲８のみの読取で得られた画像データを嵌め込む。制御部１（画像処理回路１２）は、コピーした画像データのうち、開始位置８１から終了位置８２までの帯状の画像データの部分に、読取範囲８のみの読取で得られた画像データを上書きする。これにより、読取範囲８のみを読み取っても、現在の読取範囲８の２枚目以降の原稿について、１ページ全体の画像データを得ることができる。そして、フローはステップ♯３４に戻る。
【００９５】
このようにして、実施形態に係る画像読取装置は、コンタクトガラス２１、キャリッジ６、イメージセンサー６２、画像データ生成部７、移動機構２４、操作パネル４、読取制御部２０と、を含む。コンタクトガラス２１には原稿がセットされる。キャリッジ６は、ホームポジションが設定され、原稿に光を照射するランプ６１を含む。イメージセンサー６２は、原稿の反射光を受光して原稿を読み取る。画像データ生成部７はイメージセンサー６２の出力に基づき画像データを生成する。移動機構２４は、コンタクトガラス２１の一方側で、キャリッジ６を副走査方向で移動させる。操作パネル４は、連続読取モードを利用する設定と、読取範囲８の開始位置８１と終了位置８２の設定を受け付ける。読取制御部２０は、移動機構２４を制御する。連続読取モードは、操作パネル４が読取完了を受け付けるまでコンタクトガラス２１にセットされた原稿の読取を続け、読取完了後にジョブを開始するモードである。ホームポジションは、副走査方向においてコンタクトガラス２１の外側に設けられる。連続読取モードが設定され、かつ、読取範囲８が設定された場合、読取制御部２０は、設定された読取範囲８で複数枚の原稿を読み取るとき、設定された読取範囲８での２枚目以降の原稿の読取では、イメージセンサー６２の読取ラインの位置を、ホームポジションからみて、終了位置８２よりも外側に移動させない。
【００９６】
ホームポジションからみて原稿の遠い方の端まで、キャリッジ６（読取ラインの位置）を常に移動させない。同じ読取範囲８で複数枚の原稿を読み取るとき、キャリッジ６の移動距離を短くすることができる。これにより、１枚の原稿読取に要するキャリッジ６の移動時間を従来よりも短くすることができる。次の原稿の読取を開始できる状態になるまでの時間を減らすことができる。従って、原稿読取に要する時間を短くすることができる。
【００９７】
操作パネル４は連続読取モードの１つとして速度優先モードの選択を受け付ける。速度優先モードが設定された場合、設定された読取範囲８で複数枚の原稿を読み取るとき、読取制御部２０は、設定された読取範囲８の２枚目以降の原稿の読取では、前の原稿の読取後に読取ラインの位置を開始位置８１にあわせる。読取制御部２０は、開始位置８１から終了位置８２まで読取ラインの位置を移動させることにより、読取範囲８のみの読取をイメージセンサー６２に行わせる。速度優先モードが設定された場合、原稿読取時、キャリッジ６（読取ラインの位置）は、開始位置８１と終了位置８２の間でのみ往復する。これにより、１枚の原稿読取に要するキャリッジ６の移動距離を従来よりもずっと短くすることができる。次の原稿の読取を開始できる状態になるまでの時間を減らすことができる。従って、原稿の読取に要する時間を短くすることができる。
【００９８】
複合機１００（画像読取装置）は、副走査方向においてコンタクトガラス２１の外側に設けられ、白基準値を取得するための白基準板２３を含む。画像データ生成部７は、黒基準値と、白基準板２３の読取で得られた白基準値に基づき、シェーディング補正を行う。操作パネル４は連続読取モードの１つとして画質優先モードの選択を受け付ける。画質優先モードが設定された場合、読取制御部２０は、前の原稿の読取後に読取ラインの位置を、白基準板２３を読み取る位置に戻す。読取制御部２０は、原稿を読み取るごとに、黒基準値を更新する。読取制御部２０は、原稿を読み取るごとに、白基準板２３をイメージセンサー６２に読み取らせて、白基準値を更新する。設定された読取範囲８の２枚目以降の原稿の読取では、読取制御部２０は、白基準板２３を読み取る位置から終了位置８２まで読取ラインの位置を移動させることにより、読取範囲８のみの読取をイメージセンサー６２に行わせる。画質優先モードが設定された場合、原稿読取時、キャリッジ６（読取ラインの位置）は、白基準板２３を読み取る位置と終了位置８２の間でのみ往復する。これにより、１枚の原稿読取に要するキャリッジ６の移動距離を従来よりも短くすることができる。しかも、原稿を読み取るごとに黒基準値と白基準値を更新するので、画質を維持することができる。従来よりも、次の原稿読取を開始できる状態になるまでの時間を減らすことができる。画質を維持しつつ、原稿読取に要する時間を短くすることができる。
【００９９】
設定された読取範囲８で複数枚の原稿を読み取る場合、読取制御部２０は、設定された読取範囲８の１枚目の原稿の読取では、読取ラインの位置を、ホームポジションから１枚目の原稿の後端まで移動させることにより、原稿の全体の読取をイメージセンサー６２に行わせる。制御部１（画像処理回路１２）は、設定された読取範囲８の２枚目以降の原稿の読取では、１枚目の原稿の読取で得られた画像データをコピーする。制御部１（画像処理回路１２）は、コピーした画像データに、読取範囲８のみの読取で得られた画像データを嵌め込むことにより、２枚目以降のそれぞれの原稿の画像データを生成する。読取範囲８のみの読取を行っても、１ページの画像データを得ることができる。アンケートの回答用紙のように、原稿の一部のみが異なっている用紙を連続して読み取った場合、原稿と同内容の画像データを得ることができる。
【０１００】
制御部１は、表示パネル４１の表示を制御する。制御部１は、設定された読取範囲８の開始位置８１が、ホームポジションからみて、原稿の副走査方向の中心よりも外側にあるか否かを判定する。設定された読取範囲８の開始位置８１が、ホームポジションからみて、原稿の副走査方向の中心よりも外側にあるとき、制御部１は、原稿を１８０度回転すべきメッセージを表示パネル４１に表示させる。キャリッジ６のホームポジションに近くなるように、読取範囲８を設定させることができる。キャリッジ６の移動距離が短くなるように、読取範囲８が設定される。原稿読取に要する時間が短くなるように、読取範囲８を設定させることができる。
【０１０１】
操作パネル４は、複数種類の読取範囲８の設定を受け付ける。操作パネル４は、それぞれの読取範囲８ごとの読取枚数８３の設定を受け付ける。読取制御部２０は、設定された読取枚数８３の読取がなされるごとに、読取範囲８を変更する。変更後の読取範囲８での原稿の読取が１枚目の原稿の読取のとき、読取制御部２０は、キャリッジ６をホームポジションに戻す。読取範囲８のパターンを変えつつ、原稿を連続して、迅速に読み取ることができる。原稿によって読取範囲８が異なっていても、連続読取モードでの読取を続けることができる。各読取範囲８で読み取る読取枚数８３を予め設定することができる。
【０１０２】
制御部１は、表示パネル４１の表示を制御する。設定された読取枚数８３の読取がなされたとき、制御部１は、読取範囲８の変更を行うか否かの確認メッセージを表示パネル４１に表示させる。読取制御部２０は、確認メッセージの表示後、操作パネル４が読取範囲８の変更指示を受け付けたとき、読取範囲８を変更する。使用者の確認を得てから読取範囲８が変更される。使用者が希望しない読取範囲８の変更を防ぐことができる。
【０１０３】
以上、本発明の実施形態について説明したが、本発明の範囲はこれに限定されるものではなく、発明の主旨を逸脱しない範囲で種々の変更を加えて実施することができる。
【０１０４】
上記の実施形態の説明では、速度優先モードの場合、読取制御部２０は、原稿の読取完了後、読取ラインの位置が設定された読取範囲８の開始位置８１となるように、キャリッジ６を移動させる例を説明した。しかし、速度優先モードの場合、読取制御部２０は、原稿の読取完了後、読取ラインの位置が設定された読取範囲８の開始位置８１よりも加速必要距離だけ、ホームポジション寄りとなる位置に、キャリッジ６を移動させてもよい。加速必要距離は、キャリッジ６を停止状態（速度ゼロ）から定常移動速度まで加速するのに必要なキャリッジ６の移動距離である。定常移動速度は、予め定められた速度である。定常移動速度は、１ラインの読み取り周期の間に、キャリッジ６が１ライン分移動する速度である。
【産業上の利用可能性】
【０１０５】
本発明は、画像読取装置（画像形成装置）に利用可能である。
【符号の説明】
【０１０６】
１００  複合機（画像読取装置）          １      制御部
２１    コンタクトガラス                ２３    白基準板
２４    移動機構                        ４      操作パネル
４１    表示パネル                      ６      キャリッジ
６１    ランプ                          ６２    イメージセンサー
７      画像データ生成部                ２０    読取制御部
８      読取範囲                        ８１    開始位置
８２    終了位置                        ８３    読取枚数
【図１】
2019146006.tif 000003
【図２】
2019146006.tif 000004
【図３】
2019146006.tif 000005
【図４】
2019146006.tif 000006
【図５】
2019146006.tif 000007
【図６】
2019146006.tif 000008
【図７】
2019146006.tif 000009
【図８】
2019146006.tif 000010
【図９】
2019146006.tif 000011
【図１０】
2019146006.tif 000012
【図１１】
2019146006.tif 000013
【図１２】
2019146006.tif 000014
【図１３】
2019146006.tif 000015
【図１４】
2019146006.tif 000016
【図１５】
2019146006.tif 000017
【図１６】
2019146006.tif 000018